(57)【要約】【課題】高圧放電灯に電圧が印加されない休止期間においても制御部用の電源電圧を容易に確保することのできる点灯装置及びそれを用いた照明器具を提供する。【解決手段】制御部４は、第１のコンバータ部２の出力電圧が予め設定された電圧値となるようにスイッチング素子Ｑ１のオン／オフをフィードバック制御する第１の駆動制御部４１と、第２のコンバータ部３の出力電圧を制御するとともに高圧放電灯１００の非点灯時において高圧放電灯１００を始動させるために必要な高電圧を高圧放電灯１００に印加する印加期間と、高電圧を高圧放電灯１００に印加しない休止期間とを交互に繰り返させる第２の駆動制御部４３とを有し、第１の駆動制御部４１は、休止期間では印加期間におけるオン幅よりも小さいオン幅でスイッチング素子Ｑ１のオン／オフを切り替える。【選択図】図１
2012113880.tif 000002
【特許請求の範囲】
【請求項１】
少なくともインダクタ及びスイッチング素子を有し、入力電源からの電圧を所定の直流電圧に変換して出力する第１のコンバータ部と、前記第１のコンバータ部の出力電圧を高圧放電灯の点灯に必要な電圧に変換して前記高圧放電灯に供給する第２のコンバータ部と、前記第１のコンバータ部及び前記第２のコンバータ部を制御する制御部と、前記第１のコンバータ部のインダクタに磁気結合される巻線に誘起される誘起電圧から前記制御部の電源電圧を得る制御電源部とを備え、前記制御部は、前記第１のコンバータ部の出力電圧が予め設定された電圧値となるように前記スイッチング素子のオン／オフをフィードバック制御する第１の駆動制御部と、前記第２のコンバータ部の出力電圧を制御するとともに前記高圧放電灯の非点灯時において前記高圧放電灯を始動させるために必要な高電圧を前記高圧放電灯に印加する印加期間と、前記高電圧を前記高圧放電灯に印加しない休止期間とを交互に繰り返させる第２の駆動制御部とを有し、前記第１の駆動制御部は、前記休止期間では前記印加期間におけるオン幅よりも小さいオン幅で前記スイッチング素子のオン／オフを切り替えることを特徴とする点灯装置。
【請求項２】
前記第１の駆動制御部は、前記第１のコンバータ部の出力電圧が予め設定された電圧値を上回ると前記第１のコンバータ部の動作を停止させる過電圧防止回路を有し、前記休止期間における前記スイッチング素子のオン幅は、前記第１のコンバータ部のフィードバック制御による出力電圧が前記過電圧防止回路において予め設定された電圧値を上回らないように設定されることを特徴とする請求項１記載の点灯装置。
【請求項３】
請求項１又は２に記載の点灯装置と、前記点灯装置及び前記高圧放電灯を保持する器具本体とを備えたことを特徴とする照明器具。
【発明の詳細な説明】
【技術分野】
【０００１】
本発明は、高圧放電灯等の光源を点灯させる点灯装置及びそれを用いた照明器具に関する。
【背景技術】
【０００２】
従来から、高輝度・高出力の照明として高圧放電灯が広く使用されているが、放電灯の一種である高圧放電灯を安定して点灯させるためには、安定器（点灯装置）が必要となる。高圧放電灯用の点灯装置としては、主に鉄心に銅線が巻かれて成る銅鉄型安定器と、半導体スイッチング素子を用いた電子安定器とがある。近年では、省エネルギーの観点から電子安定器が普及しており、年々小型化及び低コスト化が図られている。このため、部品点数の削減や低価格部品の採用が積極的に行われている。
【０００３】
このような対策の一環として、昇圧チョッパ回路の出力電圧を調整するための制御部に供給する電源電圧を、昇圧チョッパ回路を構成するインダクタに磁気結合された巻線に誘起される誘起電圧から得る構成が例えば特許文献１に開示されている。なお、この特許文献１に記載の従来例は、始動時にイグナイタ（始動回路）から高圧放電灯に高圧パルスを印加する変わりに、始動時における昇圧チョッパ回路の出力電圧を定常点灯時の出力電圧よりも高くすることで高圧放電灯を始動するものである。
【先行技術文献】
【特許文献】
【０００４】
【特許文献１】特許第３８４６６１９号公報
【発明の概要】
【発明が解決しようとする課題】
【０００５】
ところで、高圧放電灯が点灯している状態から消灯させ、その後直ぐに点灯させる、即ち、再始動させる場合には、高圧放電灯の発光管の温度が非常に高くなり、絶縁破壊電圧が増大する。このため、高圧放電灯の再始動時は絶縁破壊し難い。このような場合、高圧放電灯を再始動させるために高圧放電灯に高電圧を印加するが、連続的に印加した場合には共振電流による回路損失の増大やグロー放電による発光管の温度の上昇のため、絶縁破壊電圧の増大を招くことになる。したがって、再始動時に高圧放電灯に高電圧を印加する際には、図６に示すように、高電圧を印加する印加期間と印加しない休止期間とを交互に繰り返すことで、高圧放電灯に間欠的に高電圧を印加するのが一般的である。なお、高圧放電灯が点灯している状態においても、上記のように高圧放電灯に間欠的に電圧を印加する場合がある。
【０００６】
ここで、上記のように高圧放電灯に間欠的に電圧を印加する場合には、休止期間において高圧放電灯で消費される電力が少ないために昇圧チョッパ回路の出力電圧の変動が小さく、一時的に昇圧チョッパ回路の動作が停止することがある。昇圧チョッパ回路の動作が停止すると、昇圧チョッパ回路のインダクタに磁気結合された巻線に誘起電圧が誘起されなくなり、制御部用の電源電圧を確保することが困難になるという問題があった。
【０００７】
上記の問題を解決するために、誘起電圧を平滑するためのコンデンサの容量を増大する方法が考えられるが、当該方法では、コンデンサの容量の増大に伴う部品の大型化や高コスト化を招くという問題があった。また、昇圧チョッパ回路とは別に降圧チョッパ回路を設け、昇圧チョッパ回路の出力電圧を降圧して制御部用の電源電圧を確保する方法も考えられるが、当該方法では、制御部用の電源回路の大型化や高コスト化、及び回路効率の低下を招くという問題があった。
【０００８】
本発明は、上記の点に鑑みて為されたもので、高圧放電灯に電圧が印加されない休止期間においても制御部用の電源電圧を容易に確保することのできる点灯装置及びそれを用いた照明器具を提供することを目的とする。
【課題を解決するための手段】
【０００９】
本発明の点灯装置は、少なくともインダクタ及びスイッチング素子を有し、入力電源からの電圧を所定の直流電圧に変換して出力する第１のコンバータ部と、前記第１のコンバータ部の出力電圧を高圧放電灯の点灯に必要な電圧に変換して前記高圧放電灯に供給する第２のコンバータ部と、前記第１のコンバータ部及び前記第２のコンバータ部を制御する制御部と、前記第１のコンバータ部のインダクタに磁気結合される巻線に誘起される誘起電圧から前記制御部の電源電圧を得る制御電源部とを備え、前記制御部は、前記第１のコンバータ部の出力電圧が予め設定された電圧値となるように前記スイッチング素子のオン／オフをフィードバック制御する第１の駆動制御部と、前記第２のコンバータ部の出力電圧を制御するとともに前記高圧放電灯の非点灯時において前記高圧放電灯を始動させるために必要な高電圧を前記高圧放電灯に印加する印加期間と、前記高電圧を前記高圧放電灯に印加しない休止期間とを交互に繰り返させる第２の駆動制御部とを有し、前記第１の駆動制御部は、前記休止期間では前記印加期間におけるオン幅よりも小さいオン幅で前記スイッチング素子のオン／オフを切り替えることを特徴とする。
【００１０】
この点灯装置において、前記第１の駆動制御部は、前記第１のコンバータ部の出力電圧が予め設定された電圧値を上回ると前記第１のコンバータ部の動作を停止させる過電圧防止回路を有し、前記休止期間における前記スイッチング素子のオン幅は、前記第１のコンバータ部のフィードバック制御による出力電圧が前記過電圧防止回路において予め設定された電圧値を上回らないように設定されることが好ましい。
【００１１】
本発明の照明器具は、上記何れかの点灯装置と、前記点灯装置及び前記放電灯を保持する器具本体とを備えたことを特徴とする。
【発明の効果】
【００１２】
本発明は、高圧放電灯に電圧が印加されない期間においても制御部用の電源電圧を容易に確保することができるという効果を奏する。
【図面の簡単な説明】
【００１３】
【図１】本発明に係る点灯装置の実施形態を示す図で、（ａ）は回路図で、（ｂ）は第１の駆動制御部の回路図である。
【図２】同上の動作を説明するための波形図である。
【図３】同上の第１の駆動制御部の動作説明図で、（ａ）はオン幅設定回路を備えた場合の波形図で、（ｂ）はオン幅設定回路を備えない場合の波形図である。
【図４】同上の他の動作を説明するための波形図である。
【図５】（ａ）〜（ｃ）は本発明に係る照明器具の実施形態を示す概略図である。
【図６】従来の点灯装置において高圧放電灯に間欠的に高電圧を印加する場合の電圧波形図である。
【発明を実施するための形態】
【００１４】
以下、本発明に係る点灯装置の実施形態について図面を用いて説明する。本実施形態は、図１（ａ）に示すように、整流部１と、第１のコンバータ部２と、第２のコンバータ部３と、制御部４と、制御電源部５とを備える。整流部１は、ダイオードブリッジから構成され、交流電源ＡＣ１（入力電源。本実施形態では１００Ｖ電源）から供給される交流電圧を全波整流して後段の第１のコンバータ部２に出力する。
【００１５】
第１のコンバータ部２は、例えばＦＥＴから成るスイッチング素子Ｑ１と、チョークコイルＣＨ１と、ダイオードＤ１と、平滑コンデンサＣ１とを有する所謂昇圧チョッパ回路である。第１のコンバータ部２は、整流部１から出力される脈流電圧を所定の直流電圧に昇圧して出力することで力率を改善する。なお、昇圧チョッパ回路については従来周知であるので、ここでは詳細な説明を省略する。
【００１６】
第２のコンバータ部３は、例えばＦＥＴから成る４つのスイッチング素子Ｑ２〜Ｑ５と、チョークコイルＣＨ２と、コンデンサＣ３とを有する所謂降圧チョッパ回路である。第２のコンバータ部３では、２つのスイッチング素子Ｑ２，Ｑ３の直列回路と、残り２つのスイッチング素子Ｑ４，Ｑ５の直列回路とが第１のコンバータ部２の出力端間に互いに並列に接続されている。また、スイッチング素子Ｑ２，Ｑ３の接続点とスイッチング素子Ｑ４，Ｑ５の接続点との間に、チョークコイルＣＨ２とコンデンサＣ３との直列回路が接続されている。更に、コンデンサＣ３と並列に、共振回路３０と高圧放電灯１００（光源）との直列回路が接続されている。共振回路３０は、高圧放電灯１００に直列に接続されるパルストランスＰＴ１と、パルストランスＰＴ１のタップと第１のコンバータ部２の低電位側の出力端の間に挿入されたコンデンサＣ２とを具備している。
【００１７】
制御部４は、第１のコンバータ部２の出力電圧、即ち、第２のコンバータ部３への入力電圧（平滑コンデンサＣ１の両端電圧）Ｖ１を検出する入力電圧検出部４０を備える。また、制御部４は、検出される入力電圧Ｖ１が所定の電圧レベルとなるように第１のコンバータ部２のスイッチング素子Ｑ１をスイッチング制御する第１の駆動制御部４１を備える。
【００１８】
入力電圧検出部４０は、図１（ｂ）に示すように、２つの抵抗Ｒ１０，Ｒ１１の直列回路から成り、これら抵抗Ｒ１０，Ｒ１１で入力電圧Ｖ１を分圧し、分圧された検出電圧Ｖ３を第１の駆動制御部４１に出力する。
【００１９】
第１の駆動制御部４１は、図１（ｂ）に示すように、非反転入力端子に第１の基準電圧ＶＲ１が入力されるとともに、反転入力端子に検出電圧Ｖ３が入力される第１の誤差増幅器ＣＰ１を備える。この第１の誤差増幅器ＣＰ１からダイオードＤ１０を介して出力される誤差増幅信号は、後段の第１の比較器ＣＰ１の非反転入力端子に入力される。第１の比較器ＣＰ１の反転入力端子には、電圧値が０〜５Ｖの三角波が入力されており、第１の誤差増幅器ＣＰ１からの誤差増幅信号と当該三角波とを比較することで、第１の比較器ＣＰ１から２値信号が出力される。この２値信号は後段のアンド回路ＡＮ１の一方の入力端子に入力され、このアンド回路ＡＮ１の出力信号によってスイッチング素子Ｑ１を駆動するようになっている。したがって、第１の比較器ＣＰ１によってスイッチング素子Ｑ１のオン幅が調整される。このようにスイッチング素子Ｑ１のオン幅を調整することで、検出電圧Ｖ３が第１の基準電圧ＶＲ１と一致するように、即ち、入力電圧Ｖ１が所定の電圧レベルとなるように制御される。
【００２０】
また、第１の駆動制御部４１には、入力電圧Ｖ１が一定電圧を上回るのを防止するための過電圧防止回路４１Ａが設けられている。過電圧防止回路４１Ａは、図１（ｂ）に示すように、非反転入力端子に第２の基準電圧ＶＲ２が入力されるとともに、反転入力端子に検出電圧Ｖ３が入力される第２の比較器ＣＰ２を備える。第２の比較器ＣＰ２は、検出電圧Ｖ３が第２の基準電圧ＶＲ２よりも小さければハイレベル、大きければローレベルの信号を出力し、当該信号はアンド回路ＡＮ１の他方の入力端子に入力される。このため、検出電圧Ｖ３が第２の基準電圧ＶＲ２よりも大きくなるとアンド回路ＡＮ１にローレベルの信号が入力されるため、第１の比較器ＣＰ１の出力信号に依らずスイッチング素子Ｑ１が強制的にオフに切り替えられる。したがって、過電圧防止回路４１Ａによって入力電圧Ｖ１が一定電圧を上回るのを防止することができる。
【００２１】
また、制御部４は、第２のコンバータ部３の出力電圧、即ち、高圧放電灯１００に印加されるランプ電圧Ｖ２を検出するランプ電圧検出部４２と、検出されるランプ電圧Ｖ２に基づいて高圧放電灯１００の点灯・非点灯を判別する点灯判別部４４とを備える。更に、制御部４は、検出されるランプ電圧Ｖ２が所定の電圧レベルとなるように第２のコンバータ部３の各スイッチング素子Ｑ２〜Ｑ５をスイッチング制御する第２の駆動制御部４３を備える。
【００２２】
第２の駆動制御部４３は、点灯判別部４４での判別結果を受けて第２のコンバータ部３の動作モードを切り替える切替部４３Ｂと、検出されるランプ電圧Ｖ２に応じてスイッチング素子Ｑ４，Ｑ５の駆動周波数及びオン期間を決定する演算部４３Ａとを備える。切替部４３Ｂは、第２のコンバータ部３から高圧放電灯１００を始動させるための高電圧を出力させる始動モードと、第２のコンバータ部３から高圧放電灯１００を安定して点灯させるための電圧を出力させる安定点灯モードとを切り替える。また、演算部４３Ａは、安定点灯モードの時に切替部４３Ｂを介して各スイッチング素子Ｑ４，Ｑ５を制御する。
【００２３】
例えば、安定点灯モードにおいては、図２に示すように、制御部４の第２の駆動制御部４３は、スイッチング素子Ｑ２，Ｑ５をオン／オフさせる期間と、スイッチング素子Ｑ３，Ｑ４をオン／オフさせる期間とを所定の周波数（数百Ｈｚ程度）で交番させている。ここで、前者の期間ではスイッチング素子Ｑ３，Ｑ４はオフの状態であり、後者の期間ではスイッチング素子Ｑ２，Ｑ５がオフの状態である。そして、前者の期間では、第２の駆動制御部４３はスイッチング素子Ｑ２をオンさせた状態でスイッチング素子Ｑ５を所定の周波数（数十ｋＨｚ程度）でオン／オフさせる。また、後者の期間では、第２の駆動制御部４３はスイッチング素子Ｑ３をオンさせた状態でスイッチング素子Ｑ４を所定の周波数（数十ｋＨｚ程度）でオン／オフさせる。
【００２４】
制御電源部５は、図１（ａ）に示すように、ツェナーダイオードＺＤ１及び平滑コンデンサＣ４の並列回路から成る。そして、制御電源部５には、第１のコンバータ部２のチョークコイルＣＨ１に磁気結合された巻線ＣＨ１０に誘起される誘起電圧がダイオードＤ２を介して入力される。制御電源部５は、この誘起電圧を整流及び平滑化することで制御部４用の電源電圧を得て、制御部４に供給する。
【００２５】
以下、本実施形態の動作について図２を用いて説明する。なお、図２は高圧放電灯１００が非点灯状態から安定した点灯状態に至るまでの各部の波形図を示している。先ず、高圧放電灯１００が非点灯状態のときに図示しない点灯スイッチが投入されて電源がオンになると、制御部４の第１の駆動制御部４１が制御動作を開始し、スイッチング素子Ｑ１を数１０ｋＨｚ程度でオン／オフさせるスイッチング制御を行う。これにより、第１のコンバータ部２からは、高圧放電灯１００の非点灯時及び点灯時の何れにおいても、電源電圧を昇圧した直流電圧（入力電圧Ｖ１）が出力される。ここで、第１のコンバータ部２は、入力力率を高めることで入力電流歪みを抑制している。
【００２６】
入力電圧Ｖ１が所定の電圧値に達すると、制御部４の第２の駆動制御部４３が動作を開始する。この時点では、まだ高圧放電灯１００は点灯しておらず、その等価インピーダンスは無限大に近い高インピーダンスとなっている。また、切替部４３Ｂは始動モードとなっている。第２の駆動制御部４３は、スイッチング素子Ｑ２，Ｑ５がオンの期間と、スイッチング素子Ｑ３，Ｑ４がオンの期間とを所定の周波数ｆ０（数百ｋＨｚ程度）で交番させる。ここで、所定の周波数ｆ０は共振回路３０の共振周波数に近い周波数であり、正弦波状の高電圧がパルストランスＰＴ１の１次巻線Ｎ１に発生する。１次巻線Ｎ１で発生した正弦波状の高電圧は、１次巻線Ｎ１と２次巻線Ｎ２の巻数比によって昇圧され、昇圧された電圧がコンデンサＣ３を介して高圧放電灯１００に印加される。これにより、高圧放電灯１００が絶縁破壊されて始動する。このとき、高圧放電灯１００は短絡に近い低インピーダンスとなるため、高圧放電灯１００の両端電圧は略０Ｖまで低下する。
【００２７】
一方、点灯判別部４４では、ランプ電圧検出部４２で検出されるランプ電圧Ｖ２が所定の閾値を超えるか否かに基づいて高圧放電灯１００の点灯・非点灯を判別している。即ち、ランプ電圧Ｖ２が所定の閾値を上回っている場合には、点灯判別部４４は高圧放電灯１００が非点灯状態にあると判別し、その出力電圧はハイレベルとなる。一方、ランプ電圧が所定の閾値を下回っている場合には、点灯判別部４４は高圧放電灯１００が点灯状態にあると判別し、その出力電圧はローレベルとなる。
【００２８】
ここで、高圧放電灯１００の始動により、上記のようにランプ電圧Ｖ２が略０Ｖまで低下することで所定の閾値を下回るので、点灯判別部４４は高圧放電灯１００が点灯したと判別し、その出力電圧がローレベルとなって切替部４３Ｂに入力される。このローレベルの電圧信号を受けて、切替部４３Ｂでは動作モードを始動モードから安定点灯モードに切り替える。
【００２９】
安定点灯モードにおいては、既に上で述べたように、第２の駆動制御部４３は、スイッチング素子Ｑ２，Ｑ５をオン／オフさせる期間と、スイッチング素子Ｑ３，Ｑ４をオン／オフさせる期間とを所定の周波数ｆ１（数百Ｈｚ程度）で交番させる。したがって、高圧放電灯１００には周波数ｆ１の矩形波交流電圧が印加される。そして、高圧放電灯１００は、始動直後では両端電圧（ランプ電圧Ｖ２）が低いが、ランプ内部が高温・高圧になるにつれてランプ電圧Ｖ２が上昇して定格電圧に至り、安定した点灯状態となる。なお、演算部４３Ａでは、入力されるランプ電圧Ｖ２に基づいてスイッチング素子Ｑ４，Ｑ５の駆動周波数及びオン期間を適正に制御している。このため、高圧放電灯１００に適正な電力が供給され、安定した点灯状態が持続される。
【００３０】
ここで、第２の駆動制御部４３は、切替部４３Ｂの動作モードが始動モードである場合には、高圧放電灯１００に高電圧を印加して一定時間を経過しても点灯しない場合には、設定された時間だけスイッチング素子Ｑ２〜Ｑ５をオフに切り替えて高電圧の印加を休止する。即ち、第２の駆動制御部４３は、図６に示すように、高電圧を印加する印加期間と印加しない休止期間とを交互に繰り返すことで、高圧放電灯１００に間欠的に高電圧を印加する。そして、本実施形態は、印加期間と休止期間とで第１の駆動制御部４１の動作を切り替えていることに特徴がある。
【００３１】
先ず、後述するオン幅設定部４１Ｂを備えていない場合の第１の駆動制御部４１の動作について説明する。休止期間では、第２のコンバータ部３における消費電力がほぼ零となるため、入力電圧Ｖ１及び検出電圧Ｖ３の変動が小さくなる。そして、第１の駆動制御部４１は、図３（ｂ）に示すように、検出電圧Ｖ３が第１の基準電圧ＶＲ１を下回るとスイッチング素子Ｑ１のオン／オフを切り替える動作を行い、検出電圧Ｖ３が第１の基準電圧ＶＲ１と一致するように制御する。なお、同図では検出の遅れ等により、スイッチング素子Ｑ１は検出電圧Ｖ３の変動から遅れて動作している。
【００３２】
しかしながら、検出電圧Ｖ３の変動が小さいために、スイッチング素子Ｑ１の動作を短期間行うのみで検出電圧Ｖ３が第１の基準電圧ＶＲ１を上回り、スイッチング素子Ｑ１の動作が停止してしまう。スイッチング素子Ｑ１の動作が停止すると、第１のコンバータ部２のチョークコイルＣＨ１に磁気結合された巻線ＣＨ１０に誘起電圧が誘起されなくなり、この停止期間が長くなると制御部４用の電源電圧を確保することが困難になる。
【００３３】
ここで、第１の誤差増幅器ＥＡ１のゲインを低く設定することで、スイッチング素子Ｑ１の動作期間を長くすることは設計上可能である。しかしながら、第１の誤差増幅器ＥＡ１のゲインを低く設定すると、検出電圧Ｖ３と第１の基準電圧ＶＲ１との誤差が大きくなり、入力電圧Ｖ１が所定の電圧レベルから大きくずれてしまう。その結果、高圧放電灯１００点灯時の点灯維持性能や高圧放電灯１００の始動性などの悪化を招いてしまう。また、仮に入力電圧Ｖ１のずれの解消と制御部４用の電源電圧の確保とを両立し得るように第１の誤差増幅器ＥＡ１のゲインを設定できたとしても、全ての部品のばらつきや温度特性を考慮しなければならない。このため、設計に対する制約が膨大となり、最適な設計を見出すのが非常に困難である。
【００３４】
そこで、本実施形態では、第１の駆動制御部４１にオン幅設定部４１Ｂを設けている。オン幅設定部４１Ｂは、図１（ｂ）に示すように、非反転入力端子に第３の基準電圧ＶＲ３が入力されるとともに、反転入力端子が出力端子と接続される第２の誤差増幅器ＥＡ２を備える。この第３の基準電圧ＶＲ３は、第１の基準電圧ＶＲ１よりも小さく設定される。そして、第２の誤差増幅器ＥＡ２の出力信号は、ダイオードＤ１１を介して第１の比較器ＣＰ１の非反転入力端子に入力される。また、第１の誤差増幅器ＥＡ１及び第２の誤差増幅器ＥＡ２の各非反転入力端子には、それぞれスイッチング素子Ｑ１０，Ｑ１１が接続されており、各スイッチング素子Ｑ１０，Ｑ１１は、切替部４３Ｂからの駆動信号によってオン／オフが切り替えられる。
【００３５】
以下、オン幅設定部４１Ｂを備えた本実施形態の第１の駆動制御部４１の動作について説明する。先ず、印加期間では、切替部４３Ｂはスイッチング素子Ｑ１０をオフ、スイッチング素子Ｑ１をオンに切り替える。このため、当該期間においては第２の誤差増幅器ＥＡ１の非反転入力端子は短絡されるので、オン幅設定部４１Ｂは動作しない。したがって、第１の駆動制御部４１は、上記と同様に入力電圧Ｖ１が所定の電圧レベルとなるように制御する。
【００３６】
次に、休止期間になると、切替部４３Ｂはスイッチング素子Ｑ１０をオン、スイッチング素子Ｑ１１をオフに切り替える。このため、当該期間においては第１の誤差増幅器ＥＡ１の非反転入力端子が短絡されるので、第１の誤差増幅器ＥＡ１の動作が無効化される。一方、第２の誤差増幅器ＥＡ２では、第３の基準電圧ＶＲ３が非反転入力端子に入力され、この第３の基準電圧ＶＲ３と等しい電圧レベルの信号が出力される。そして、第２の誤差増幅器ＥＡ２の出力信号と三角波とを第１の比較器ＣＰ１で比較することにより、スイッチング素子Ｑ１のオン幅が調整される。
【００３７】
ここで、第３の基準電圧ＶＲ３は第１の基準電圧ＶＲ１よりも小さく設定されているので、休止期間におけるスイッチング素子Ｑ１のオン幅を小さくすることができる。したがって、休止期間における検出電圧Ｖ３の波形は図３（ａ）に示すものとなり、スイッチング素子Ｑ１の停止期間は存在するものの、動作期間がオン幅設定部４１Ｂを設けない場合と比較して長くなり、停止期間も短くなる。
【００３８】
上述のように、本実施形態ではオン幅設定部４１Ｂを設けることで、第１の駆動制御部４１が、休止期間では印加期間におけるオン幅よりも小さいオン幅でスイッチング素子Ｑ１のオン／オフを切り替えている。このため、休止期間におけるスイッチング素子Ｑ１の動作期間を長くして停止期間を短くすることができるので、休止期間においても制御部４用の電源電圧を容易に確保することができる。なお、スイッチング素子Ｑ１のオン幅は、制御電源部５の出力電圧が少なくとも制御部４用が最低限必要とする電源電圧を上回るように設定すべきであることは言うまでもない。
【００３９】
ところで、上述のようにスイッチング素子Ｑ１のオン幅を設定した場合には、検出電圧Ｖ３が第２の基準電圧ＶＲ２を上回ると過電圧防止回路４１Ａが作動し、スイッチング素子Ｑ１の動作が停止する。そこで、休止期間において検出電圧Ｖ３が第２の基準電圧ＶＲ２を上回らないように第３の基準電圧ＶＲ３を設定し、スイッチング素子Ｑ１のオン幅を調整するのが望ましい。このようにスイッチング素子Ｑ１のオン幅を調整すれば、図４に示すように、休止期間において検出電圧Ｖ３が第２の基準電圧ＶＲ２を上回ることがないので、スイッチング素子Ｑ１を常時動作させることができる。したがって、スイッチング素子Ｑ１の停止期間が存在しないために制御部４用の電源電圧を更に容易に確保することができる。
【００４０】
以下、本発明に係る照明器具の実施形態について図面を用いて説明する。図５（ａ）〜（ｃ）に示す照明器具は、何れも上記実施形態の点灯装置Ａ１と、ランプソケット（図示せず）が収納された器具本体２００と、点灯装置Ａ１とランプソケットとを接続する電源ケーブル２０１とを共通に備える。そして、ランプソケットに装着される高圧放電灯（図示せず）に点灯装置Ａ１から電源ケーブル２０１を介して点灯電力が供給される。
【００４１】
これらの照明器具は、上記実施形態の点灯装置Ａ１が用いられることにより、上記実施形態と同様の効果を奏することができる。なお、図５（ａ）に示す照明器具はダウンライトであり、同図（ｂ），（ｃ）に示す照明器具は、配線ダクトレール２０２に移動自在に取り付けられる照明器具である。
【符号の説明】
【００４２】
２  第１のコンバータ部
３  第２のコンバータ部
４  制御部
４１  第１の駆動制御部
４３  第２の駆動制御部
５  制御電源部
１００  高圧放電灯
ＡＣ１  交流電源（入力電源）
ＣＨ１  チョークコイル（インダクタ）
ＣＨ１０  巻線
Ｑ１  スイッチング素子
【図１】
2012113880.tif 000003
【図２】
2012113880.tif 000004
【図３】
2012113880.tif 000005
【図４】
2012113880.tif 000006
【図５】
2012113880.tif 000007
【図６】
2012113880.tif 000008